(57)【特許請求の範囲】
【請求項１】
電子機器に搭載される入力装置であって、
静電容量方式の入力検出センサを有し、当該入力検出センサへの操作体の接触操作により得られる位置情報を検出する入力検出部と、
ユーザが前記電子機器を把持したときに前記操作体が当たり易い位置に設けられた静電容量方式の感度検出センサを有し、当該感度検出センサへの前記操作体の接触操作により得られる感度情報を検出する感度検出部と、
前記感度検出部により検出された前記感度情報に基づいて前記入力検出部から出力される前記位置情報の出力レベルを調整するか否かを判断する制御部と、
前記制御部の判断結果に基づいて前記入力検出部から出力される前記位置情報の出力レベルを調整する感度調整部と
を備え、
前記感度調整部は、前記入力検出部から出力される前記位置情報を増幅する増幅部を有し、
前記増幅部は、前記制御部の判断結果により得られる調整情報に基づいて前記位置情報の前記出力レベルを制御する
入力装置。
【請求項２】
前記制御部は、
前記感度検出部により検出される前記感度情報と所定の閾値とを比較した結果、前記感度情報が前記閾値より小さい場合には前記入力検出部から出力される前記位置情報の出力レベルを大きくするための前記調整情報を生成する
請求項１に記載の入力装置。
【請求項３】
前記入力検出部および前記感度検出部はシート状をなすセンサにより構成され、
前記入力検出部と前記感度検出部とは一体的に形成された
請求項２に記載の入力装置。
【請求項４】
電子機器本体と、
前記電子機器本体に設けられ、操作体による接触操作により位置情報を入力する入力装
置とを備え、
前記入力装置は、
静電容量方式の入力検出センサを有し、当該入力検出センサへの前記操作体の接触操作により得られる位置情報を検出する入力検出部と、
ユーザが前記電子機器本体を把持したときに前記操作体が当たり易い位置に設けられた静電容量方式の感度検出センサを有し、当該感度検出センサへの前記操作体の接触操作により得られる感度情報を検出する感度検出部と、
前記感度検出部により検出された前記感度情報に基づいて前記入力検出部から出力される前記位置情報の出力レベルを調整するか否かを判断する制御部と、
前記制御部の判断結果に基づいて前記入力検出部から出力される前記位置情報の出力レベルを調整する感度調整部と
を含み、
前記感度調整部は、前記入力検出部から出力される前記位置情報を増幅する増幅部を有し、
前記増幅部は、前記制御部の判断結果により得られる調整情報に基づいて前記位置情報の前記出力レベルを制御する
電子機器。
【発明の詳細な説明】
【技術分野】
【０００１】
本発明は、入力装置および電子機器に関する。詳細には、感度検出部により検出された感度情報に基づいて入力検出部から出力される位置情報の出力レベルを調整するか否かを判断し、その判断結果に基づいて入力検出部から出力される位置情報の出力レベルを調整することで、ユーザの手袋装着時や非装着時などの操作環境に応じて入力検出部の最適な感度調整を行うものである。
【背景技術】
【０００２】
近年、ユーザは、携帯電話機やＰＤＡ（Personal Digital Assistants）等の携帯端末装置に様々なコンテンツを取り込み、それを利用するようになってきた。これらの携帯端末装置には、キーボードや、回転型の操作子（ジョグダイヤル）等やタッチパネルなどの入力装置が設けられている。
【０００３】
タッチパネルを利用した入力装置では、指や専用のペンを表示画面に接触させて位置情報を入力することにより携帯端末装置の所定の操作を行っている。タッチパネルとしては、抵抗膜方式や静電容量方式などの方式がある。このうち静電容量方式のタッチパネルは、厚さを薄くすることができかつパネル自体の形状の自由度も高いことから、入力装置として広く採用されている。
【０００４】
例えば、特許文献１には、カメラ本体上面板にスライド入力用の静電容量方式のタッチパネル（センサ）を備えたデジタルカメラが開示されている。ユーザは、静電容量方式の入力シートに指を接触させた状態で所定方向にスライドさせることにより、ズームイン、ズームアウト、再生／早送り／巻き戻し、ピント調整、音量調整などの操作を行うことができる。
【０００５】
ここで、静電容量方式の入力装置の原理について説明する。図１２に示すように、ユーザが半球状の操作体３３０を操作する場合において、指３００をセンサ（タッチパネル）３１０に近づけていくと（接触させると）、センサ３１０とユーザの指３００との間には静電容量が発生する。これは、人体が導電性を有するからである。センサ３１０とユーザの指３００との間に発生する静電容量は、下記（１）式に示すように、タッチパネルとユーザの指との距離に反比例して変位する。
Ｃ＝（ε・Ｓ）／Ｄ・・・（１）  
ここで、Ｃは静電容量であり、εは各材料の誘電率であり、Ｓは指３００の面積であり、Ｄは指３００とセンサ３１０との間の距離である。
【０００６】
入力装置は、ユーザが指３００をセンサ３１０に接触させたときに生じる静電容量に基づいた位置情報を検出することにより、ユーザの接触操作により入力された所定の処理を行う。
【０００７】
【特許文献１】特開２００５−２８４４１６号公報
【発明の開示】
【発明が解決しようとする課題】
【０００８】
しかしながら、特許文献１に開示される入力装置では以下に示す問題がある。
（１）静電容量方式の入力装置では、上述したようにユーザの指とセンサとの距離に反比例して静電容量が変化する。そのため、図１２（Ｃ）に示すように、寒冷地やスキー場などにおいてユーザが手袋３２０を装着した状態で携帯端末装置を操作する場合には、手袋３２０を構成する絶縁部材の厚み分だけ指３００とセンサ３１０との間に距離が生じてしまうことになる。これにより、手袋装着時に検出される静電容量は、素手で入力装置を操作する場合と比較して小さくなってしまう（図１２（Ｂ）および図１２（Ｃ）参照）。その結果、ユーザが操作により入力した正確な位置情報が得られず、入力装置の検出感度が低下してしまうという問題がある。
（２）上記（１）で示した問題を解決するために、センサの感度を予め高く設定しておくことも考えられる。しかし、センサの検出感度を高く設定した状態においてユーザが素手で入力装置を操作した場合には、検出される感度が高すぎるため、センサに接触していないのに入力情報を検出してしまう等の誤動作の不具合が生じてしまう場合がある。その結果、本来のスライド（なぞり）検出操作の操作性を著しく低下させてしまうという問題がある。
【０００９】
そこで、本願発明は、上記課題に鑑みてなされたものであり、その目的は、ユーザの操作環境に応じて入力検出部の感度を調節することが可能な入力装置および電子機器を提供することにある。
【課題を解決するための手段】
【００１０】
本発明に係る入力装置は、電子機器に搭載される入力装置であって、静電容量方式の入力検出センサを有し、入力検出センサへの操作体の接触操作により得られる位置情報を検出する入力検出部と、ユーザが電子機器を把持したときに操作体が当たり易い位置に設けられた静電容量方式の感度検出センサを有し、感度検出センサへの操作体の接触操作により得られる感度情報を検出する感度検出部と、感度検出部により検出された感度情報に基づいて入力検出部から出力される位置情報の出力レベルを調整するか否かを判断する制御部と、制御部の判断結果に基づいて入力検出部から出力される位置情報の出力レベルを調整する感度調整部とを備える。上記感度調整部は、入力検出部から出力される位置情報を増幅する増幅部を有し、その増幅部は、制御部の判断結果により得られる調整情報に基づいて位置情報の出力レベルを制御するものである。
【００１１】
また本発明に係る電子機器は、電子機器本体と、電子機器本体に設けられ、操作体による接触操作により位置情報を入力する入力装置とを備え、入力装置は、静電容量方式の入力検出センサを有し、入力検出センサへの操作体の接触操作により得られる位置情報を検出する入力検出部と、ユーザが電子機器本体を把持したときに操作体が当たり易い位置に設けられた静電容量方式の感度検出センサを有し、感度検出センサへの操作体の接触操作により得られる感度情報を検出する感度検出部と、感度検出部により検出された感度情報に基づいて入力検出部から出力される位置情報の出力レベルを調整するか否かを判断する制御部と、制御部の判断結果に基づいて入力検出部から出力される位置情報の出力レベルを調整する感度調整部とを含む。上記感度調整部は、入力検出部から出力される位置情報を増幅する増幅部を有し、その増幅部は、制御部の判断結果により得られる調整情報に基づいて位置情報の出力レベルを制御するものである。
【００１２】
本発明において、制御部は感度検出部により検出された感度情報に基づいて入力検出部から出力される位置情報の出力レベルを調整するか否かを判断する。感度調整部では制御部の判断結果に基づいて入力検出部から出力される位置情報の出力レベルを調整する。ここで感度情報は、操作体と感度検出部との間に生じる静電容量である。そのため、感度調整部は、制御部の判断結果により、例えば感度検出部からの感度情報が小さいと判断した場合には、入力検出部の位置情報の出力レベルが大きくなるように調整できる。これにより、入力検出部の感度を高くすることができる。一方、制御部の判断結果により、感度検出部からの感度情報が大きいと判断した場合には、入力検出部の位置情報の出力レベルが小さくなるように調整できる。これにより、入力検出部の感度を低くすることができる。
【発明の効果】
【００１５】
本発明によれば、手袋装着時や非装着時など、ユーザの操作環境に応じて入力検出部の感度を最適に設定することができるため、情報の正確な入力が可能になると共に誤操作の防止を図ることができる。
【発明を実施するための最良の形態】
【００１６】
［第１の実施の形態］  
以下、本発明の実施の形態について図面を参照して説明する。
＜デジタルカメラの構成＞  
図１（Ａ）は本発明の一実施形態に係るデジタルカメラ１０の正面側の構成を示す斜視図であり、図１（Ｂ）はその裏面図の構成を示す斜視図である。図２は、デジタルカメラ１０の側面の構成を示す断面図である。図１および図２に示すように、デジタルカメラ１０は、電子機器の一例を構成し、カメラ本体８０と入力装置９０とを備えている。カメラ本体８０は、例えばマグネシウム合金やアルミニウム等の金属材料により矩形状に成形された筐体であり、カメラ本体８０の上面８０ｃにはシャッターボタン２０、パワーボタン２６が設けられる。カメラ本体８０の正面８０ａの左端部にはその短手方向に沿って把持部２２が設けられ、正面８０ａの右側にはレンズ１８が設けられる。カメラ本体８０の裏面８０ｂには、液晶パネル等からなる表示部１４が設けられる。
【００１７】
入力装置９０は、ユーザの摺動および押し込み操作による位置情報を検出する入力検出部６６と、ユーザの指が接触したときの感度情報を検出する感度検出部７２とを有している。入力検出部６６と感度検出部７２とはそれぞれ独立して別々に位置に設けられる。
【００１８】
入力検出部６６は、キートップ６０と、入力検出センサ６２と、回路基板６４とを有している。キートップ６０は、ユーザが摺動および押し込み操作を行うための略半球（ドーム）状をなす操作面を有した操作体であって、カメラ本体８０の裏面８０ｂに形成された開口部７４に取り付け、固定される。またキートップ６０は、半球状の操作面がカメラ本体８０の裏面８０ｂから露出かつ突出するようにしてカメラ本体８０に取り付けられる。
【００１９】
入力検出センサ６２は、静電容量方式のセンサにより構成され、ユーザの指がキートップ６０の操作面を摺動および押し込み操作したときに生じる静電容量（感度情報）を検出する。この入力検出センサ６２は、可撓性を有するシート状部材からなり、キートップ６０内面に例えば両面テープ等の粘着部材により取り付けられる。回路基板６４は、その主面（外面）側に入力検出センサ６２が実装され、入力検出センサ６２により検出された静電容量の変化に基づいた位置信号Ｓ１（図４参照）を生成する。位置信号Ｓ１は、入力検出センサ６２側で生成しても良い。
【００２０】
感度検出部７２は、感度検出センサ６８と回路基板７０とを有している。感度検出センサ６８は、入力検出センサ６２と同様に静電容量方式のセンサにより構成され、ユーザの指が感度検出センサ６８の操作面を摺動および押し込み操作したときに生じる静電容量（感度情報）を検出する。この感度検出センサ６８は、可撓性を有するシート状部材からなり、カメラ本体８０の正面８０ａに形成された開口部７６に取り付けられる。本例では、感度検出センサ６８の表面がカメラ本体８０から露出するようにして取り付けているが（図２参照）、カメラ本体８０の筐体を介して取り付けるようにしても良い。
【００２１】
感度検出センサ６８の露出部分は、ユーザ３０の手袋装着時の指先よりも若干大きな外形寸法を有する。また感度検出センサ６８は、デジタルカメラ１０を把持したときにユーザの指先が当たり易い位置に設けることが好ましく、本例ではユーザが右手によりカメラ本体８０を把持したときに例えば正面８０ａの把持部２２よりも若干内側の位置に設けられる。感度検出センサ６８は正面８０ａ以外の箇所、例えば裏面８０ｂ、上面８０ｃまたは側面８０ｄ等に設けることもできる。回路基板７０は、その主面（外面）側に感度検出センサ６８が実装され、感度検出センサ６８により検出された静電容量に基づいて感度信号Ｓ２（図４参照）を生成する。
【００２２】
なお、上述した実施の形態では、入力検出センサ６２と感度検出センサ６８とを別々の部材により構成したが、入力検出センサ６２と感度検出センサ６８とを一体的に形成しても良い。図３（Ａ）は入力装置９０の他の構成例を示す図であり、図３（Ｂ）はその要部の構成例を示す図である。
【００２３】
図３（Ａ）および図３（Ｂ）に示すように、入力検出センサ６２および感度検出センサ６８は矩形状をなし、それぞれの上部同士が連結シート７８を介して接続されている。本例では、入力検出センサ６２と感度検出センサ６８とが一枚の静電容量方式のシート部材により形成されている。感度検出センサ６８は、カメラ本体８０の開口部７６を介してその表面がカメラ本体８０から外部に露出するようにして取り付けられる。回路基板６４には入力検出センサ６２が実装され、１枚の回路基板６４により入力検出センサ６２および感度検出センサ６８の双方が制御される。このように、入力検出センサ６２と感度検出センサ６８とを一体に形成することで、回路基板６４の共有化を図ることができ、低コスト化を図ることができる。
【００２４】
図４は、デジタルカメラ１０の内部構成例を示すブロック図である。  
図４に示すように、デジタルカメラ１０は、入力検出部６６と、感度検出部７２と、Ａ／Ｄ変換部３８と、制御部の一例を構成するＣＰＵ３２と、感度調整部５０と、表示部１４と、電源ユニット３３と、カメラ３４と、その他のデバイス３５と、スピーカ３６と、振動部４０とを備えている。ＣＰＵ３２には、Ａ／Ｄ変換部３８、感度調整部５０、表示部１４、電源ユニット３３、カメラ３４、その他のデバイス３５、スピーカ３６および振動部４０のそれぞれが接続されている。
【００２５】
入力検出部６６は、図２に示した操作面を有するキートップ６０を備え、操作体としてのユーザ３０の指３０ａがキートップ６０の操作面に接触したときの位置情報（静電容量）Ｉ１を検出する。また、入力検出部６６は、入力された位置情報Ｉ１に基づいて位置信号Ｓ１を生成し、生成した位置信号Ｓ１を感度調整部５０に供給する。
【００２６】
感度検出部７２は、ユーザ３０の指３０ａがセンサに押し当てられたときに得られる感度情報（静電容量）Ｉ２を検出し、検出した感度情報Ｉ２に基づく感度信号Ｓ２を生成する。生成された感度信号Ｓ２はＡ／Ｄ変換部３８に供給される。Ａ／Ｄ変換部３８は、感度検出部７２から供給された感度信号Ｓ２をＡ／Ｄ変換して感度データＤ２を生成し、生成した感度データＤ２をＣＰＵ３２に供給する。
【００２７】
ＣＰＵ３２は、Ａ／Ｄ変換部３８から供給された感度データＤ２に基づいて入力検出部６６から出力される位置信号Ｓ１の出力レベルを調整するか否かを判断する。そして、Ａ／Ｄ変換部３８から出力される感度データＤ２と所定の閾値とを比較し、入力検出部６６の感度を調節するための調整データＤ３を生成し、生成した調整データＤ３を感度調整部５０に供給する。例えば、ＣＰＵ３２は、ユーザが手袋を装着して操作を行う場合には、入力検出部６６の感度が低くなるため、入力検出部６６の感度が大きくなるような調整データＤ３を生成する。一方、ユーザが手袋操作後、素手で操作を行う場合には、入力検出部６６の感度が小さくなるような（標準感度に戻るような）調整データＤ３を生成する。
【００２８】
またＣＰＵ３２は、感度調整部５０からの位置データＤ１を受けて指令Ｄを電源ユニット３３、カメラ３４、その他のデバイス３５、表示部１４、スピーカ３６およびアクチュエータ駆動回路３７のそれぞれに供給する。さらに、ＣＰＵ３２は、同一振動モード内において、ユーザ３０のスライド速度をパラメータにして、アクチュエータ駆動回路３７で発生させる正弦波形を加工する機能（アルゴリズム）を有している。ＣＰＵ３２は入力検出部６６によって検出されたスライド速度に基づく振動パターンを演算する。この例でＣＰＵ３２は、ユーザ３０の指３０ａがキートップでの操作面に接触した位置から遠ざかるに従って、操作面を低周波数かつ小振幅の振動から、高周波数かつ大振幅の振動を発生するような振動パターンを演算する。
【００２９】
感度調整部５０は、入力検出部６６から出力される位置情報Ｉ１の出力レベルを調整するものであり、増幅部とＡ／Ｄ変換器とを有している。増幅部は、ＣＰＵ３２から供給される調整データＤ３に基づいて入力検出部６６から入力される位置信号Ｓ１の電圧（振幅）等を増幅して位置信号Ｓ１の出力レベルを調整する。例えば、増幅部は、手袋装着時用の調整データＤ３が供給されたとき、入力検出部６６から入力される位置信号Ｓ１の電圧を増幅する。一方、素手操作時用の調整データＤ３が供給されたとき、入力検出部６６から入力される位置信号Ｓ１の電圧を小さくする。Ａ／Ｄ変換器は、増幅部から出力される位置信号Ｓ１をＡ／Ｄ変換して位置データＤ１を生成し、生成した位置データＤ１をＣＰＵ３２に供給する。
【００３０】
表示部１４は、入力検出部６６によって入力された情報に基づく表示画面を表示する。表示部１４はモニタ機能の他にファインダー等としての機能を有する。例えば、表示部１４はＣＰＵ３２からの制御情報（指令Ｄ）に基づいてズームイン、ズームアウト、再生／早送りモード、ボリューム（Ｖｏｌ）調整モード等のアイコンを表示する。
【００３１】
振動部４０は、アクチュエータ駆動回路３７及びアクチュエータ２５ａ〜２５ｆから構成され、ＣＰＵ３２によって演算された振動パターンに基づいて操作方向に振動が移動するようにキートップ６０の操作面を振動させる。上述のＣＰＵ３２には、アクチュエータ駆動回路３７が接続され、ＣＰＵ３２からの指令Ｄに従って、振動制御信号Ｓａ〜Ｓｆを発生し、複数のアクチュエータ２５ａ、２５ｂ、２５ｃ、２５ｄ、２６ｅ、２６ｆに振動制御信号Ｓａ〜Ｓｆを供給する。振動制御信号Ｓａ〜Ｓｆは、例えば、正弦波形からなる出力波形Ｗ１〜Ｗ３・・・を有している。６個のアクチュエータ２５ａ〜２５ｆを駆動するためである。
【００３２】
また、ＣＰＵ３２にはカメラ３４が接続され、指令Ｄに基づいて上述したレンズ１８（図１（Ａ）参照）を通じて被写体を撮影するようになされる。カメラ３４には、図示しない撮像装置（ＣＣＤ装置）が使用され、被写体撮影により得られた撮影データを出力するようになされる。
【００３３】
その他のデバイス３５には、記憶装置や外部端子等が含まれる。例えば、記憶装置は、ＣＰＵ３２からの指令Ｄに基づいて撮影データを格納したり、その撮影データを読み出す。スピーカ３６はＣＰＵ３２からの指令Ｄに基づいてアイコン確認音や、機器取り扱いアナウンス音等を放音するようになされる。
【００３４】
電源ユニット３３は、図示しないバッテリーに接続され、入力検出部６６、表示部１４、ＣＰＵ３２、カメラ３４、その他のデバイス（記憶装置、外部端子等）３５及び振動部４０等に電力を供給する。
【００３５】
このようにデジタルカメラ１０を構成すると、ユーザ３０の指３０ａの摺動速度又は摺動操作時間に対応した、ユーザ３０毎に異なる振動パターン（振幅と周波数と振動回数）を有する複数種類の振動を発生させることができる。ユーザ３０は指３０ａに振動を受けて触感としてＣＰＵ３２からの機能毎の振動を感じる。また表示部１４の表示内容はユーザ３０の目３０ｂによる視覚により、スピーカ３６からの放音はユーザ３０の耳３０ｃによる聴覚により各機能を判断するようになされる。
【００３６】
＜デジタルカメラの使用例＞  
次に、上述したデジタルカメラ１０の使用例について説明する。図５は、本発明に係るデジタルカメラ１０の使用例を示す図である。ユーザは、手袋を装着した状態でデジタルカメラ１０を操作する場合や、手袋操作後に素手でデジタルカメラ１０を操作する場合には、デジタルカメラ１０の入力検出部６６の感度の調整を行う。図５に示すように、ユーザは、デジタルカメラ１０を右手により把持した状態で、デジタルカメラ１０の正面８０ａに設けられた感度検出センサ６８に指３０ａを押し当てる。これにより、デジタルカメラ１０は、ユーザが手袋を装着して操作を行っているか、または、素手により操作を行っているかを判断し、入力検出部６６の感度をユーザの操作環境に合せて最適な状態に調整する。
【００３７】
＜デジタルカメラの動作＞  
次に、デジタルカメラ１０の動作の一例について説明する。図６は、デジタルカメラ１０の動作を示すフローチャートである。以下の説明では、ユーザ３０が素手で入力検出部６６を操作する場合と、ユーザが手袋を装着した状態で入力検出部６６を操作する場合とについて説明する。また以下のデジタルカメラ１０では、ユーザ３０が素手により操作を行う場合の感度を標準感度として予め設定している。
【００３８】
ステップＳ１０でＣＰＵ３２は、ユーザ３０の指が感度検出センサ６８に押し当てられたか否かを判断する。すなわち、ＣＰＵ３２は、感度検出部７２からＡ／Ｄ変換部３８を介して感度データＤ２が供給されたか否かを判断する。ＣＰＵ３２は、ユーザ３０の指が感度検出センサ６８に押し当てられたと判断したときにはステップＳ２０に進み、ユーザ３０の指が感度検出センサ６８に押し当てられていないと判断したときには感度検出部７２からの入力を待機する。
【００３９】
ステップＳ２０でＣＰＵ３２は、感度検出部７２から供給された感度データＤ２の値が予め設定した閾値以上か否かを判断する。閾値データは、ユーザが素手で感度検出部７２を検出したときの感度データを基準として設定される。本例において閾値データは、例えば素手操作時の感度データＤ２よりも低く、手袋装着時の感度データＤ２よりも高い値に設定される。したがって、手袋操作時における感度データＤ２は閾値データよりも小さくなり、素手操作時における感度データは閾値データの値よりも大きくなる。ＣＰＵ３２は、記憶装置（その他のデバイス３５）から予め設定した閾値データを読み出し、読み出した閾値データと感度データＤ２とを比較する。比較の結果、感度データが閾値未満と判断した場合（手袋操作時）にはステップＳ３０に進み、感度データが閾値以上と判断した場合（素手操作時）にはステップＳ４０に進む。
【００４０】
ステップＳ３０でＣＰＵ３２は、感度データの値が閾値未満（手袋装着時）と判断した場合には、ＣＰＵ３２から供給される調整データＤ３に基づいて入力検出部６６を高感度に設定する。感度調整部５０の増幅部は、この調整データＤ３に基づいた所定の増幅率において位置信号Ｓ１の電圧等を増幅する。感度設定が終了した後は、ステップＳ１０に戻り感度検出部７２からの入力を待機する。
【００４１】
ステップＳ４０でＣＰＵ３２は、感度データの値が閾値未満（手袋非装着時）と判断した場合には、ＣＰＵ３２から供給される調整データＤ３に基づいて入力検出部６６を標準感度に維持または高感度設定から標準（低）感度に変更する。例えば、入力検出部６６が前の状態で標準感度に設定されている場合には、入力検出部６６をそのままの感度状態とし、標準感度を維持する。また、入力検出部６６が前の状態で高感度に設定されている場合には、入力検出部６６から出力される位置信号Ｓ１の電圧を低くし、入力検出部６６の感度を標準感度に戻すように制御する。つまり、ユーザが手袋操作後に、手袋を取り外して素手で操作する場合には、入力検出部６６の感度を高感度設定から標準（低）感度設定に変更する。感度設定が終了した後は、ステップＳ１０に戻り感度検出部７２からの入力を待機する。
【００４２】
以上説明したように、本実施の形態によれば、ユーザの手袋装着時や非装着時などの操作環境に応じて入力検出部６６を最適な感度に調整することができるため、正確な情報の入力が可能になると共に誤操作の防止を図ることができる。
【００４３】
［第２の実施の形態］  
以下、本発明の第２の実施の形態について図面を参照して説明する。なお、上述した第１の実施の形態で説明したデジタルカメラ１０と共通する構成要素には同一の符号を付し、詳細な説明は省略する。
【００４４】
＜デジタルカメラの構成＞  
図７（Ａ）および図７（Ｂ）は、第２の実施形態に係るデジタルカメラ１００の表示部１４の表示画面のスライドピッチの一例を示す図である。本実施の形態では、ユーザが素手でデジタルカメラ１００を操作する場合と、手袋を装着した状態でデジタルカメラ１００を操作する場合とで、表示画面のスライドピッチが異なるように制御している。
【００４５】
例えば、ユーザ３０が手袋を装着している状態で入力検出部６６の操作を行う場合には、素手により操作を行う場合と比較して操作が鈍くなる。そのため、ＣＰＵ３２（図４参照）は、少ない動作により表示画面の操作、例えばスクロールが行えるように、操作時のスライドピッチが大きくなるように操作制御を切り換える。本例では、図７（Ａ）に示すように、表示部１４の表示画面の縦方向を表示ピッチＰ１で７分割している。表示画面の横方向におけるスライドピッチについても同様に設定することができる。
【００４６】
一方、ユーザ３０が手袋を装着していない素手の状態で操作を行う場合には、手袋を装着した場合と比較して細かい操作が可能となる。そのため、ＣＰＵ３２は、手袋装着時と比べて操作時のスライドピッチが小さくなるように操作制御を切り換える。本例では、図７（Ｂ）に示すように、表示部１４の表示画面の縦方向を表示ピッチＰ２で１４分割している。表示画面の横方向のスライドピッチについても同様に設定することができる。
【００４７】
このように構成することで、例えば、手袋操作時および素手操作時においてキートップ６０（図２参照）の操作面上を同一距離だけ摺動操作した場合に、手袋操作時では表示ピッチＰ１で表示画面がスクロールし、素手操作時では表示ピッチＰ２で表示画面がスクロールする。
【００４８】
＜デジタルカメラの動作＞  
次に、デジタルカメラ１００の動作の一例について図４および図８を参照して説明する。図８は、デジタルカメラ１００の動作を示すフローチャートである。なお、本実施の形態のステップＳ１００，１１０は、上記第１の実施の形態で説明したデジタルカメラ１００のステップＳ１０，２０と動作が同一であるため説明を省略する。
【００４９】
ステップＳ１２０でＣＰＵ３２は、感度データの値が閾値未満（手袋装着時）の場合には、Ａ／Ｄ変換部３８から供給された感度データＤ２に基づいて表示部１４の表示画面のスライドピッチを変更するための指令Ｄを生成し、生成した指令Ｄを表示部１４に供給する。表示部１４では、供給された指令Ｄに基づいて表示画面のスライドピッチを手袋装着用のピッチＰ１に変更する（図７（Ａ）参照）。スライドピッチの変更が終了した後は、ステップＳ１００に戻り感度検出部７２からの入力を待機する。
【００５０】
ステップＳ１３０でＣＰＵ３２は、感度データの値が閾値以上（手袋非装着時）の場合には、Ａ／Ｄ変換部３８から供給された感度データＤ２に基づいて表示部１４の表示画面のスライドピッチを変更するための指令Ｄを生成し、生成した指令Ｄを表示部１４に供給する。表示部１４では、供給された指令Ｄに基づいて表示画面のスライドピッチを素手操作用のピッチＰ２に変更する（図７（Ｂ）参照）。スライドピッチの変更が終了した後は、ステップＳ１００に戻り感度検出部７２からの入力を待機する。
【００５１】
以上説明したように、本実施の形態によれば、手袋を装着した状態で動作が鈍くなったとしても、スライドピッチが素手の場合よりも大きく設定されているため、少ない動作により表示画面に表示される画像や操作画面などをスライドさせることができる。これにより、手袋装着時においても快適な操作を行うことができる。
【００５２】
［第３の実施の形態］  
以下、本発明の第３の実施の形態について図面を参照して説明する。なお、上述した第１の実施の形態で説明したデジタルカメラ１０と共通する構成要素には同一の符号を付し、詳細な説明は省略する。
【００５３】
上記第１の実施の形態で説明したように、寒冷地やスキー場などでは温度が低いため、ユーザは手袋を装着した状態でデジタルカメラ２００を操作する場合がある。しかし、静電容量方式の入力検出部６６では手袋の厚みにより感度が低下してしまうという問題がある。そこで、本実施の形態では、デジタルカメラ２００に温度測定部１０６を設けることにより外部の温度を検出し、外部の温度が低い場合にはユーザが手袋を装着してデジタルカメラ２００を操作することを前提として入力検出部６６の感度を高めている。
【００５４】
＜デジタルカメラの構成＞  
図９は、デジタルカメラ２００の構成例を示す斜視図である。  
図９に示すように、デジタルカメラ２００は、デジタルカメラ２００の周囲の温度を検出するための温度測定部１０６を備えている。温度測定部１０６は、例えば、白金測温抵抗体、サーミスタまたは熱電対などにより構成され、デジタルカメラ２００の内部に設置されている。
【００５５】
図１０は、デジタルカメラ２００の内部構成例を示すブロック図である。  
図１０に示すように、温度測定部１０６は、デジタルカメラ２００の電源がオン状態になると外部の温度を検出し、検出した温度情報Ｉ３に基づいて温度信号Ｓ４を生成する。生成した温度信号Ｓ４は、Ａ／Ｄ変換部３８によってデジタル信号に変換されてＣＰＵ３２に供給される。
【００５６】
ＣＰＵ３２は、Ａ／Ｄ変換部３８から供給された温度データＤ４に基づいて入力検出部６６の感度を調節するための調整データＤ３を生成し、生成した調整データＤ３を感度調整部５０に供給する。感度調整部５０は、ＣＰＵ３２から供給される調整データＤ３に基づいて入力検出部６６から入力される位置信号Ｓ１の電圧等を増幅することにより、入力検出部６６の感度を調整する。
【００５７】
＜デジタルカメラの動作＞  
次に、デジタルカメラ２００の動作の一例について説明する。図１１は、デジタルカメラ２００の動作を示すフローチャートである。
ステップＳ２００でＣＰＵ３２は、温度測定部１０６により外部の温度が測定されたか否かを判断する。すなわち、ＣＰＵ３２は、温度測定部１０６からＡ／Ｄ変換部３８を介して温度データＤ４が供給されたか否かを判断する。ＣＰＵ３２は、温度が測定されたと判断したときにはステップＳ２１０に進み、温度が測定されていないと判断したときには温度測定部１０６からの入力を待機する。
【００５８】
ステップＳ２１０でＣＰＵ３２は、温度測定部１０６からＡ／Ｄ変換部３８を介して供給された温度データＤ４の値が予め設定した閾値以上か否かを判断する。閾値は、一般的なユーザが手袋を装着することが想定される温度に設定される。ＣＰＵ３２は、記憶装置（その他のデバイス３５）から予め設定した閾値データを読み出し、読み出した閾値データと温度データＤ４とを比較する。比較の結果、温度データＤ４が閾値未満と判断した場合、つまり周囲の温度が閾値より低い場合にはステップＳ２２０に進む。一方、温度データＤ４が閾値以上と判断した場合、つまり周囲の温度が閾値より高い場合にはステップＳ２３０に進む。
【００５９】
ステップＳ２２０でＣＰＵ３２は、温度データＤ４の値が閾値未満の場合にはＣＰＵ３２から供給される調整データＤ３に基づいて入力検出部６６を高感度に設定する。すなわち、周囲の温度が閾値より低い場合には入力検出部６６を高感度に設定する。感度調整が終了した後は、ステップＳ２００に戻り感度検出部７２からの入力を待機する。
【００６０】
ステップＳ２３０でＣＰＵ３２は、温度データの値が閾値以上の場合にはＣＰＵ３２から供給される調整データＤ３に基づいて入力検出部６６を標準感度に維持または高感度設定から標準（低）感度に変更する。例えば、入力検出部６６が前の状態で標準感度に設定されていて、周囲の温度が閾値より高い場合には、入力検出部６６をそのままの感度状態とし、標準感度を維持する。また、入力検出部６６が前の状態で高感度に設定されていて、周囲の温度が閾値より高い場合には、入力検出部６６から出力される位置信号Ｓ１の電圧等を低くし、入力検出部６６の感度を標準感度に戻すように制御する。感度の調整が終了した後は、ステップＳ２００に戻り感度検出部７２からの入力を待機する。
【００６１】
以上説明したように、本実施の形態によれば、デジタルカメラ２００の周囲の温度を検出することにより、ユーザ３０が手袋操作かまたは素手操作かを予測して感度を予め設定するので、ユーザの手袋装着時や非装着時などの操作環境に応じて入力検出部６６の最適な感度調整を行うことができる。
【００６２】
なお、本発明の技術範囲は、上述した実施形態に限定されるものではなく、本発明の趣旨を逸脱しない範囲において、上述した実施形態に種々の変更を加えたものを含む。
【００６３】
例えば、上述した実施の形態では、デジタルカメラ１０，１００，２００に本発明の感度を調整する感度調整部５０、感度検出部７２等を設けたが、これに限定されることはない。静電容量方式のセンサやタッチパネルを備えた電子機器であれば適用することができる。
【図面の簡単な説明】
【００６４】
【図１】本発明の一実施形態に係るデジタルカメラの構成例を示す斜視図である。
【図２】デジタルカメラの入力装置の構成例を示す断面図である。
【図３】入力装置の他の構成例を示す図である。
【図４】デジタルカメラのブロック構成を示す図である。
【図５】デジタルカメラの使用例を示す図である。
【図６】デジタルカメラの動作例を示すフローチャートである。
【図７】本発明の他の実施形態に係るデジタルカメラの画面のスライドピッチを示す図である。
【図８】デジタルカメラの動作例を示すフローチャートである。
【図９】デジタルカメラの他の構成例を示す図である。
【図１０】デジタルカメラのブロック構成を示す図である。
【図１１】デジタルカメラの動作例を示すフローチャートである。
【図１２】静電容量方式センサの原理を説明するための図である。
【符号の説明】
【００６５】
１０，１００，２００・・・デジタルビデオカメラ、３０・・・ユーザ、３０ａ・・・指、３２・・・ＣＰＵ、５０・・・感度調整部、６２・・・入力検出センサ、６６・・・入力検出部、６８・・・感度検出センサ、７２・・・感度検出部、８０・・・カメラ本体、９０・・・入力装置、１００・・・デジタルカメラ、１０２・・・温度センサ、１０６・・・温度測定部
【図１】
0004508248.tif 000002
【図２】
0004508248.tif 000003
【図３】
0004508248.tif 000004
【図４】
0004508248.tif 000005
【図５】
0004508248.tif 000006
【図６】
0004508248.tif 000007
【図７】
0004508248.tif 000008
【図８】
0004508248.tif 000009
【図９】
0004508248.tif 000010
【図１０】
0004508248.tif 000011
【図１１】
0004508248.tif 000012
【図１２】
0004508248.tif 000013